(57)【要約】【課題】  本考案は、安価に入手しうる粒状石材を利用して、天然の風情を十分に演出できようにした鑑賞植物用載置台を提供することを課題とする。【解決手段】底板１と縁材２とからなる偏平な容器の内部に、多数の粒状石材（小石）３が透明な接着剤で固定され、このようにして形成される水密層の上面に凹部４が設けられて、同凹部４内に、第２の粒状石材（小石）３ａと、保水のための砂５とが載置され、その上に鑑賞植物としての苔玉６などが載置される。【選択図】  図２
0003134967.tif 000002
【実用新案登録請求の範囲】
【請求項１】
底板と、同底板の周縁部に沿い起立した縁材とからなる偏平な容器と、同容器内に敷設された多数の粒状石材とを備え、上記粒状石材が透明な接着剤で上記容器内に固定されることにより観賞植物用載置面が形成されていることを特徴とする、鑑賞植物用載置台。
【請求項２】
上記粒状石材の粒径が３〜１０ｍｍに設定されていることを特徴とする、請求項１に記載の鑑賞植物用載置台。
【請求項３】
上記粒状石材が上記底板上に上記接着剤で固定されることにより形成される水密層の上面に凹部が設けられて、同凹部内に第２の粒状石材が多数載置されていることを特徴とする、請求項１または２に記載の鑑賞植物用載置台。
【請求項４】
上記凹部内に載置された第２の粒状石材の相互間の隙間に保水のための砂が充填されていることを特徴とする、請求項３に記載の鑑賞植物用載置台。
【考案の詳細な説明】
【技術分野】
【０００１】
本考案は、鑑賞植物を載置して展示するための鑑賞植物用載置台に関し、特に苔玉のごとき鑑賞植物を載置するのに適した鑑賞植物用載置台に関する。
【背景技術】
【０００２】
一般に、盆栽などでは、植物鑑賞のために土壌を入れた植木鉢が用いられ、また切花などを鑑賞する際には花瓶や水盤などが用いられているが、風情を演出するためには高価な植木鉢や花瓶などが必要とされている。
また、水を入れた容器内に多孔塊状物を挿入して、同多孔塊状物の凹部に水苔や植物を植え込むようにしたものも開発されている。
【特許文献１】登録実用新案第３０８３５７５号公報
【考案の開示】
【考案が解決しようとする課題】
【０００３】
本考案は、安価に入手しうる粒状石材を利用して、天然の風情を十分に演出できようにした鑑賞植物用載置台を提供することを課題とする。
【課題を解決するための手段】
【０００４】
前述の課題を解決するため、本考案の鑑賞植物用載置台は、底板と、同底板の周縁部に沿い起立した縁材とからなる偏平な容器と、同容器内に敷設された多数の粒状石材とを備え、上記粒状石材が透明な接着剤で上記容器内に固定されることにより観賞植物用載置面が形成されていることを特徴としている。
【０００５】
また、本考案の鑑賞植物用載置台は、上記粒状石材の粒径が３〜１０ｍｍに設定されていることを特徴としている。
【０００６】
さらに、本考案の鑑賞植物用載置台は、上記粒状石材が上記底板上に上記接着剤で固定されることにより形成される水密層の上面に凹部が設けられて、同凹部内に第２の粒状石材が多数載置されていることを特徴としている。
【０００７】
また、本考案の鑑賞植物用載置台は、上記凹部内に載置された多数の粒状石材の相互間の隙間に保水のための砂が充填されていることを特徴としている。
【考案の効果】
【０００８】
上述の本考案の鑑賞植物用載置台では、底板上に多数の粒状石材が敷設されて、同粒状石材の固定は透明は接着剤により行われるので、天然の風情を十分に保ちながら、下方への漏水は十分に防止され、上記粒状石材の上に、水分を必要とする苔玉のごとき鑑賞植物を載置して楽しむことが可能になる。
【０００９】
そして、上記底板の周縁部に沿い起立した縁材が設けられることにより、上記鑑賞植物用載置台自体も優美な形状となって、その見栄えが向上し、鑑賞効果を高めるのに役立つ利点が得られるようになる。
【００１０】
また、上記粒状石材の粒径が３〜１０ｍｍに設定されていると、室内での鑑賞に適した鑑賞植物用載置台として十分に役立つようになる。
【００１１】
さらに、上記粒状石材が上記底板上に透明な接着剤で固定されることにより形成される水密層の上面に、凹部が形成されて、同凹部内に第２の粒状石材が多数載置されている場合は、上記凹部に水を与えることにより、同凹部内の第２の粒状石材を介し毛細管現象で吸い上げられる水分が苔玉などの鑑賞植物に適切に与えられるようになる。
【００１２】
そして、上記凹部内に載置された多数の第２の粒状石材の相互間に保水のための砂が充填されていると、注水などのメンテナンスが容易となり、上記鑑賞植物の鑑賞が長期間にわたり実現できるようになる利点が得られる。
【実施例】
【００１３】
図１は本考案の一実施例としての鑑賞植物用載置台を示す斜視図、図２は上記鑑賞植物用載置台に苔玉を載置した状態を示す要部断面図である。
【００１４】
図１，２に示すように、底板１の周縁部には縁材２が起立するように設けられており、底板１の上面には粒径３〜５ｍｍ程度の粒状石材としての小石３が充填されて、透明な接着剤により固定されている。なお、小石３としては砕石を用いてもよい。
【００１５】
このようにして固定される小石３の層の上面には凹部４が形成されて、同凹部４の内部には、やや粒径の大きい第２の粒状石材としての小石（または砕石）３ａ（粒径８〜１０ｍｍ程度）が載置されている。
【００１６】
小石３の層の上面は、同小石３が接着剤で固定されることによって水密性を有しているが、その凹部４に載置される多数の第２の粒状石材としての小石３ａは、相互間に隙間があけられているので、水を注入することにより毛細管現象で常に濡れた状態に保たれる。
【００１７】
さらに、本実施例では、多数の小石３ａの相互間に上記毛細管現象を促進して十分に保水を行うための砂５が充填される。
そして、小石３ａの層で支えられるように苔玉６が載置されるので、同苔玉６は小石３ａの相互間へ砂５を介して吸い上げられる水分の補給を十分に受けることができる。
【００１８】
なお、第１の小石３の層の上面に苔玉６を直接載置するようにしても、同小石３の層の上面には十分な凹凸面が形成されて水分を保つことができるので、苔玉６への水分の補給は、かなりの程度まで行われるようになる。
【００１９】
このようにして、上述の本実施例の鑑賞植物用載置台では、次のような作用効果が得られる。すなわち、底板１上に多数の粒状石材としての小石３が敷設されて、同小石３の固定は透明は接着剤により行われるので、天然の風情を十分に保ちながら、下方への漏水は十分に防止され、小石３の上に、水分を必要とする苔玉６のごとき鑑賞植物を載置して楽しむことが可能になる。
【００２０】
そして、底板１の周縁部に沿い起立した縁材２が設けられているので、上記鑑賞植物用載置台自体も優美な形状となって、その見栄えが向上し、鑑賞効果を高めるのに役立つ利点が得られるようになる。
【００２１】
また、小石３の粒径が３〜１０ｍｍに設定されているので、室内での鑑賞に適した鑑賞植物用載置台として十分に役立つようになる。
【００２２】
さらに、小石３が底板１上に透明な接着剤で固定されることにより形成される水密層の上面に、凹部４が形成されて、同凹部４内に第２の粒状石材としての小石３ａが多数載置されるので、凹部４に水を与えることにより、同凹部４内の第２の小石３ａを介し毛細管現象で吸い上げられる水分が苔玉６などの鑑賞物に適切に与えられるようになる。
【００２３】
そして、凹部４内に載置された多数の第２の小石３ａの相互間に保水のための砂が充填されていると、注水などのメンテナンスが容易となり、上記鑑賞物の鑑賞が長期間にわたり実現できるようになる利点が得られる。
【図面の簡単な説明】
【００２４】
【図１】本考案の一実施例としての鑑賞植物用載置台を示す斜視図である。
【図２】上記鑑賞植物用載置台に苔玉を載置した状態を示す要部断面図である。
【符号の説明】
【００２５】
１  底板
２  縁材
３  粒状石材
３ａ  第２の粒状石材
４  凹部
５  砂
６  苔玉
【図１】
0003134967.tif 000003
【図２】
0003134967.tif 000004